(57)【特許請求の範囲】
【請求項１】
被装着部材に係止されるクランプと、一端が前記クランプに接続され、プール用コースロープを抱えて吊り下げる吊下部と、前記吊下部の他端を前記クランプに着脱自在に取り付ける留め具とを具備すると共に、一端が前記クランプに装着された帯状部材を更に具備し、前記帯状部材は柔軟材料からなり、棒状の被装着部に係止する際には、前記帯状部材を前記棒状の被装着部に周回させて、他端を前記クランプに装着し、また、板状の被装着部に装着する際には、前記クランプのアゴ部と回転ウス間に前記帯状部材を介在させて前記板状の被装着部を挟むものであることを特徴とするプール用コースロープ保持具。
【請求項２】
前記クランプはネジ式であり、Ｕ字型クランプ、Ｃ型クランプ、コの字型クランプ、及びＦ型クランプのいずれかを含むことを特徴とする請求項１に記載のプール用コースロープ保持具。
【請求項３】
前記吊下部は、一端が前記クランプに装着されたチェーン、ワイヤーロープまたは紐を含むことを特徴とする請求項１に記載のプール用コースロープ保持具。
【請求項４】
前記留め具は、前記チェーン、ワイヤーロープまたは紐の他端に装着されたナスカンまたはフックを含み、プール用コースロープを抱えて吊り下げ保持する際に、前記クランプに取り付けられることを特徴とする請求項１に記載のプール用コースロープ保持具。
【発明の詳細な説明】
【技術分野】
【０００１】
本発明は、プール用のコースロープを清潔且つ安全に保管するための、プール用コースロープ保持具に関するものである。
【背景技術】
【０００２】
従来において、プール用のコースロープを使用しない時は、プールの回りのフェンス近くにそのまま置かれたり、或いは、丸めたり折り曲げたりして置かれていることが一般的であった。そのためコースロープの下に埃がたまり易く不潔であり、生徒により踏み付けられたりして破損する虞もあった。
【０００３】
そこで、例えば、特許文献１に示すように、水泳用プールのプールサイドに収納ボックスを設けてコースロープを収納する、「コーナー型水泳用コースロープ収納ボックス」が提案されている。この特許文献１では、水泳用プールのプールサイドに、蓋体の上面が座席面を形成する収納ボックスを設けるため、プールサイドに十分な空きスペースが必要であり、設置場所がプールサイドのコーナー部に限られる。また、水泳期間中は、水泳指導上コースロープを一本だけ取り出す事も多いが、収納ボックスの中から２５メートルや５０メートルもあるコースロープを一本だけ取り出すのは大変であった。
【０００４】
一方、特許文献２には、プールサイド等の適当と思われる場所にコースロープを水平方向に伸長させて吊下保持することで、コースロープを安全に、しかも衛生的に、更にコンパクトに収納・保管する「コースロープ保持機構」が提案されている。この特許文献２に記載されている保持機構は、プールサイドに設けられている金網製のフェンスやコンクリート壁等に設置することで、特許文献１に比べてスペースを有効活用できる。
【０００５】
しかし、上下に横板（補強部材）、両端に端部保持部材、中間部分に中間部保持部材が必要であるため、設置場所がプールサイドに設けられている金網製のフェンスやコンクリート壁等に限られ、設置コストも高くなる。
【０００６】
そこで、本出願人は、プールの金網製のフェンスやタオル掛けのバー等に器具の本体部分を引っ掛け、下部に取り付けた紐でコースロープを抱え、その紐の先端に取り付けた金属製のフックを本体部分の上部の輪に引っ掛ける構造のプール用コースロープ抱え器具を考案した（特許文献３参照）。
【０００７】
このプール用コースロープ抱え器具は、コースロープを清潔且つ安全に保管でき、シンプルで汎用性が高く、設置コストも不要である等の利点を有している。
【先行技術文献】
【特許文献】
【０００８】
【特許文献１】特開２００３−２９０４１０号公報
【特許文献２】実開平５−７６４７６号公報
【特許文献３】実用新案登録第３０８７０２７号
【発明の概要】
【発明が解決しようとする課題】
【０００９】
しかしながら、上記プール用コースロープ抱え器具は、構造上、コースロープの保管場所が上部フックを引っ掛けられる構造部に制限される。このため、空きスペースを有効利用してコースロープを保管する、という点ではまだ改良の余地がある。
【００１０】
本発明は上記のような事情に鑑みてなされたもので、その目的とするところは、コースロープを様々な場所に清潔且つ安全に保管でき、シンプルで汎用性が高く、設置コストも不要なプール用コースロープ保持具を提供することにある。
【課題を解決するための手段】
【００１１】
本発明に係るプール用コースロープ保持具は、被装着部材に係止されるクランプと、一端が前記クランプに接続され、プール用コースロープを抱えて吊り下げる吊下部と、前記吊下部の他端を前記クランプに着脱自在に取り付ける留め具とを具備すると共に、一端が前記クランプに装着された帯状部材を更に具備し、前記帯状部材は柔軟材料からなり、棒状の被装着部に係止する際には、前記帯状部材を前記棒状の被装着部に周回させて、他端を前記クランプに装着し、また、板状の被装着部に装着する際には、前記クランプのアゴ部と回転ウス間に前記帯状部材を介在させて前記板状の被装着部を挟むものであることで、上述した課題を解決した。
【００１３】
更に、前記クランプはネジ式であり、Ｕ字型クランプ、Ｃ型クランプ、コの字型クランプ、及びＦ型クランプのいずれかを含むことで、同じく上述した課題を解決した。
【００１４】
加えて、前記吊下部は、一端が前記クランプに装着されたチェーン、ワイヤーロープまたは紐を含むことで、同じく上述した課題を解決した。
【００１５】
この他、前記留め具は、前記チェーン、ワイヤーロープまたは紐の他端に装着されたナスカンまたはフックを含み、プール用コースロープを抱えて吊り下げ保持する際に、前記クランプに取り付けられることで、同じく上述した課題を解決した。
【発明の効果】
【００１６】
上記のような構成によれば、クランプを用いて被装着部材に係止するようにしたので、クランプのアーム部内に収容できる部材だけでなく、回転ウス部とアゴ部に挟持できる部材にも係止できるので、コースロープを様々な場所に保管できる。しかも、コースロープを空中に保持するので、清潔且つ安全に保管できる。また、クランプ、吊下部、留め具でコースロープ保持具を形成するので、シンプルで汎用性が高く、設置コストも不要である。
【００１７】
更に、柔軟材料で帯状部材を形成するので、棒状の被装着部材を傷付けることなくコースロープを保持できる。しかも、細い部材だけでなく、引き延ばすことで太い部材にも装着でき、様々な断面形状にも対応できる。また、板状の被装着部材に取り付ける際に、この帯状部材を介在させて挟持することで、板状の被装着部材の表面を保護すると共に、滑り止めの効果も発揮する。
【００１８】
加えて、ネジ式のクランプは低コストで故障が少なく、被装着部に簡単且つ確実に固定できる。また、クランプにはＵ字型クランプ、Ｃ型クランプ、コの字型クランプ、及びＦ型クランプ等種々の構造を用いることができ、吊下部には、一端がクランプのアーム部に装着されたチェーン、ワイヤーロープまたは紐等種々のものを用いることができ、留め具には、ナスカンまたはフック等様々なものを用いることができる。
【図面の簡単な説明】
【００１９】
【図１】本発明の第１の実施形態に係るプール用コースロープ保持具の構成を示す斜視図である。
【図２】図１に示したプール用コースロープ保持具により、金網製のフェンスにコースロープを保持した状態を示す斜視図である。
【図３】複数のプール用コースロープ保持具を、金網製のフェンスに装着した状態を示す斜視図である。
【図４】複数のプール用コースロープ保持具を金網製のフェンスに装着し、コースロープをフェンスに沿って保管する使用例を示す斜視図である。
【図５】複数のプール用コースロープ保持具を金網製のフェンスに装着し、コースロープをフェンスに沿って保管する場合の変形例を示す斜視図である。
【図６】本発明の第２の実施形態に係るプール用コースロープ保持具の構成を示す斜視図である。
【図７】図６に示したプール用コースロープ保持具により、金網製のフェンスにコースロープを保持した状態を示す斜視図である。
【図８】図６に示したプール用コースロープ保持具を棒状の部材に装着して、コースロープを保持した状態を示す斜視図である。
【図９】複数のプール用コースロープ保持具を手摺りに装着し、コースロープを手摺りに沿って保管する使用例を示す斜視図である。
【図１０】図６に示したプール用コースロープ保持具を、ロッカーの仕切板に装着してコースロープを保持した状態の斜視図である。
【図１１】複数のプール用コースロープ保持具をロッカーの仕切板に装着し、コースロープをロッカーの前面に沿って保管する使用例を示す斜視図である。
【発明を実施するための形態】
【００２０】
以下に、図面を参照して、本発明の実施形態を説明する。
【００２１】
［第１の実施形態］
図１は、本発明の第１の実施形態に係るプール用コースロープ保持具の構成を示す斜視図である。このプール用コースロープ保持具１０は、被装着部材に係止されるＵ字型クランプ１と、一端がこのクランプ１のアーム部１ａに接続され、プール用コースロープを抱えて吊り下げ保持する吊下部２と、この吊下部２の他端を上記クランプ１に着脱自在に取り付ける留め具３とで構成されている。
【００２２】
上記Ｕ字型クランプ１は、ネジ込み式であり、スライド式のレバー１ｂを回転させてネジ部１ｃをアーム部１ａの一端側にねじ込むことで、回転ウス部１ｄがアゴ部１ｅ側に移動し、この回転ウス部１ｄとアゴ部１ｅ間に被装着部材を挟持したり、或いは、回転ウス部１ｄとアゴ部１ｅを閉じて、被装着部材をアーム部１ａ内に収容するようになっている。
【００２３】
上記吊下部２は、チェーンやワイヤーロープ、紐等で構成される。本例ではチェーン４を用いる場合を示しており、チェーン４の一端がアーム部１ａの貫通孔１ｆに装着されたリング５を介して、アーム部１ａに接続されている。
【００２４】
また、上記留め具３にはナスカンやフック等様々なものを用いることができ、本例では板ナスカン（甲丸スナップ）６をリング７でチェーン４に接続している。
【００２５】
上記のような構成において、プールサイドの金網製のフェンスにコースロープを掛けて保持する場合には、図２に示すように、クランプ１におけるアーム部１ａのアゴ部１ｅ側を金網製のフェンス（被装着部材）１２に引っ掛け、回転ウス部１ｄがアゴ部１ｅに接触するまでレバー１ｂでネジ部１ｃを回転させて取り付ける。そして、チェーン４でコースロープ１１の浮きと浮きの間を抱えて吊り下げるように板ナスカン６をリング５に取り付ける。
【００２６】
上述したプール用コースロープ保持具１０（１０−１〜１０−４）を、図３に示すようにプールサイドの金網製のフェンス１２に適当な間隔で複数個装着し、図４に示すように各保持具１０−１〜１０−４にコースロープ１１を上下に折曲させて上端を保持する。
【００２７】
このように、コースロープ１１を地面や床面に置かないで空中に保持して保管することで、コースロープ１１を乾燥した状態に保つことができ、汚れることが少なく、誤って踏まれることもなく、水泳時に最も求められる清潔と安全を保つことができる。また、複数のコースロープ１１を、間隔を持たせて保管できるので、一本だけ取り出すときにも、これを容易に選んで取り外すことができる。
【００２８】
更に、図５に示すように、保持具１０−１〜１０−４を狭い間隔で配置することにより、幅が狭い空きスペースにも保管でき、コースロープ１１を場所と空きスペースに応じて自由に保管できる。
【００２９】
上記のような構成のプール用コースロープ保持具によれば、クランプ１を用いて被装着部材に係止するので、クランプ１のアーム部１ａ内に収容できる部材だけでなく、回転ウス部１ｄとアゴ部１ｅに挟持できる部材にも係止できる。よって、コースロープ１１をクランプ１が装着可能な様々な場所に清潔且つ安全に保管でき、シンプルで汎用性が高く、設置コストも不要である。
【００３０】
［第２の実施形態］
図６は、本発明の第２の実施形態に係るプール用コースロープ保持具の構成を示す斜視図である。図６の保持具１０が図１と異なるのは、クランプ１に帯状部材８を装着した点である。他の構成は図１と同様であるので、同一構成部には同じ符号を付してその詳細な説明は省略する。
【００３１】
この帯状部材８は、例えば、ゴムや樹脂等の柔軟材料で形成しており、一端側の装着穴８ａによりネジ部１ｃのレバー１ｂとアーム部１ａの一端との間に装着されている。この帯状部材８の他端側には、回転ウス部１ｄとアーム部１ａの一端との間のネジ部１ｃに装着するための装着穴８ｂが設けられている。そして、フェンス１２等に装着する場合には、図７に示すように、第１の実施態様と同様にフェンス１２にクランプ１を装着し、チェーン４でコースロープ１１の浮きと浮きの間を抱えて吊り下げるように板ナスカン６をリング５に取り付ける。
【００３２】
一方、手摺りやタオル掛け、洗濯ポール等の棒状の部材（被装着部材）１３に装着するときには、図８に示すように、帯状部材８を棒状の部材１３の上部を周回させ、他端側の装着穴８ｂを押し広げつつ回転ウス部１ｄに挿入し、スライド式のレバー１ｂを回転させてネジ部１ｃをアーム部１ａの一端側にねじ込むことで帯状部材８が外れないようにする。
【００３３】
この状態で、チェーン４でコースロープ１１の浮きと浮きの間を抱えて、吊り下げるように板ナスカン６をリング５に取り付ける。
【００３４】
このような構成によれば、帯状部材８は柔軟材料であるので棒状の部材１３を傷付けることなくコースロープ１１を保持できる。しかも、帯状部材８は細い部材だけでなく、引き延ばすことで太い部材にも装着でき、断面が円形のポールだけでなく四角形や楕円形等の様々な形状に対応できる。
【００３５】
図９は、上記保持具１０−１〜１０−４を手摺り（被装着部材）１４に装着して、コースロープ１１を手摺りに沿って保管する使用例を示す斜視図である。各保持具１０−１〜１０−４は、帯状部材８を用いて手摺り１４の握り棒１４ａに装着し、各々の保持具１０−１〜１０−４のチェーン４と板ナスカン６でコースロープ１１の浮きと浮きの間を抱えて吊り下げる。これによって、コースロープ１１を手摺り１４に沿って上下に折曲して省スペースに保管できる。
【００３６】
また、更衣室のロッカー（被装着部材）１５や棚等に装着する場合には、図１０に示すように、仕切板（或いは、天板や側板、高い位置にあれば底板でも良い）１５ａにクランプ１を取り付ける。すなわち、スライド式のレバー１ｂを回転させてネジ部１ｃをアーム部１ａの一端側にねじ込むことで、回転ウス部１ｄがアゴ部１ｅ側に移動し、被装着部材をくわえ込むように取り付ける。
【００３７】
この際、仕切板１５ａに帯状部材８の他端側を宛い、帯状部材８を挟み込むようにクランプ１を装着することで、仕切板１５ａの上面とアゴ部１ｅとの間、仕切板１５ａの下面と回転ウス部１ｄとの間にそれぞれ帯状部材８の端部を介在させる。
【００３８】
そして、チェーン４でコースロープ１１の浮きと浮きの間を抱えて吊り下げるように板ナスカン６をリング５に取り付ける。
【００３９】
このような構成によれば、クランプ１の回転ウス部１ｄとアゴ部１ｅとの間に、柔軟材料の帯状部材８を宛ってクランプ１を取り付けるので、仕切板１５ａの表面に傷が付くのを防止でき、滑り止めにもなる。
【００４０】
図１１は、上記コースロープ保持具１０−１〜１０−４をロッカー１５の仕切板１５ａに装着し、コースロープ１１をロッカー１５の前面に沿って保管する使用例を示す斜視図である。保持具１０−１〜１０−４を所望の間隔で仕切板１５ａに装着し、各々の保持具１０−１〜１０−４のチェーン４と板ナスカン６でコースロープ１１の浮きと浮きの間を抱えて吊り下げることで、コースロープ１１をロッカー１５の前面に沿って上下に折曲して省スペースに保管できる。
【００４１】
上述したように、本発明によれば、プール用コースロープ１１を、金網製のフェンス１２、棒状の部材１３、手摺り１４及びロッカー１５や棚等、様々な場所や空きスペースに高い自由度で清潔且つ安全に保管できる。しかも、構造がシンプルで汎用性が高く、設置コストも不要である。
【００４２】
尚、上記第１、第２の実施形態では、Ｕ字型クランプを例に取って説明したが、Ｃ型クランプ、コの字型クランプ、及びＦ型クランプ等種々の形状や構造が適用できる。また、低コストで故障が少なく、被装着部に簡単且つ確実に固定できるネジ式のクランプ１を用いる場合について説明したが、他の構造であっても同様に適用できるのは勿論である。
【００４３】
更に、吊下部２がマンテル系のチェーン４の場合を図示したが、ビクター系、リンク系、二重系、ジャック系、ボール系、サッシュ系等種々のチェーンを用いることができる。また、チェーンに限らず、種々の材質のワイヤーロープや紐（丸紐、平紐等）を使用することもできる。
【００４４】
更にまた、留め具３が板ナスカン６の場合について説明したが、吊下部２をリング５、クランプ１、またはクランプ１のアーム部１ａ等に着脱自在に保持できれば良いので、スナップフック、カニカン、鉄砲ナスカン等の種々の構造の留め具を用いることができる。この留め具３は、金属に限らず、コースロープ１１を吊り下げて保持するのに十分な強度があれば樹脂等の材料でも良い。
【００４５】
また、コースロープを１本ずつ保管する使用例を示したが、空きスペースや保管場所に応じて複数本束ねて保管しても良く、１本のコースロープを折り畳んで束ねて保管することもできる。
【００４６】
以上、説明したように、本発明によれば、コースロープを様々な場所に清潔且つ安全に保管でき、シンプルで汎用性が高く、設置コストも不要である。また、クランプ、吊下部、留め具、帯状部材等、汎用品を流用してプール用コースロープ保持具を形成できるので、低コストで形成できる。
【産業上の利用可能性】
【００４７】
本発明のプール用コースロープ保持具は、コースロープを様々な場所に清潔且つ安全に保管でき、シンプルで汎用性が高く、設置コストも不要であり産業上有用である。
【符号の説明】
【００４８】
１…クランプ
１ａ…アーム部
１ｂ…レバー
１ｃ…ネジ部
１ｄ…回転ウス部
１ｅ…アゴ部
１ｆ…貫通孔
２…吊下部
３…留め具
４…チェーン
５，７…リング
６…板ナスカン（甲丸スナップ）
８…帯状部材
８ａ，８ｂ…装着穴
１０，１０−１〜１０−４…プール用コースロープ保持具
１１…コースロープ
１２…フェンス（被装着部材）
１３…棒状の部材（被装着部材）
１４…手摺り（被装着部材）
１４ａ…握り棒
１５…ロッカー（被装着部材）
１５ａ…仕切板
【図１】
0005546032.tif 000002
【図２】
0005546032.tif 000003
【図３】
0005546032.tif 000004
【図４】
0005546032.tif 000005
【図５】
0005546032.tif 000006
【図６】
0005546032.tif 000007
【図７】
0005546032.tif 000008
【図８】
0005546032.tif 000009
【図９】
0005546032.tif 000010
【図１０】
0005546032.tif 000011
【図１１】
0005546032.tif 000012